(57)【要約】【課題】ストローを用いない直飲みと、突出習性を有した既製ストローによる吸い飲みとに選択使用してしかも飲みやすいものとする。【解決手段】断熱構造を有した容器本体１と、この容器本体１の容器口４において容器本体１内に通じる液通路５を一部に有して直飲みできる飲み口６を有した飲み口部７と、容器口４または飲み口部７に着脱できるように装着されて飲み口６を覆う蓋２１と、飲み口部７または液通路５にて既製ストロー１３の軸まわりを上下２カ所Ａ、Ｂにて交換できできるように保持するストロー支持具１０と、を備え、飲み口６からの直飲みと既製ストロー１３による吸い飲みとに選択使用できるようにして、上記の目的を達成する。【選択図】  図１
2004161315.tif 000002
【特許請求の範囲】
【請求項１】
飲料を収容するための断熱構造を有した容器本体と、この容器本体の容器口において容器本体内に通じる液通路を一部に有して直飲みできる飲み口を有した飲み口部と、前記容器口または飲み口部に着脱できるように装着されて飲み口を覆う蓋と、前記飲み口部または液通路にて既製ストローの軸まわりを上下２カ所にて交換できできるように保持するストロー支持具と、を備え、飲み口からの直飲みと既製ストローによる吸い飲みとに選択使用できるようにしたことを特徴とするハイブリッドボトル。
【請求項２】
飲料を収容するための断熱構造を有した容器本体と、
この容器本体の容器口において容器本体内に通じる液通路を一部に有して直飲みをすることができる飲み口を持った飲み口部と、
前記容器口、飲み口部または液通路の少なくとも１つと着脱でき、かつ相互間のシール部を有して嵌まり合って、既製ストローを前記液通路内に支持するストロー支持具と、を備え、
ストロー支持具は、既製ストローの途中を相互間の吸気可能な逆止シール部を有して交換できるように保持するとともに、既製ストローにその吸い口を上方へ突出するように突出習性を与える付勢部を有し、
ストロー支持具および既製ストローのない飲み口からの直飲みと既製ストローを用いた吸い飲みとができるようにしたことを特徴とするハイブリッドボトル。
【請求項３】
飲料を収容するための断熱構造を有した容器本体と、
この容器本体の容器口において容器本体内に通じる液通路を一部に有して直飲みをすることができる飲み口を持った飲み口部と、
前記容器口、飲み口部または液通路の少なくとも１つと着脱でき、かつ相互間のシール部を有して嵌まり合って、既製ストローを前記液通路内に支持するストロー支持具と、を備え、
ストロー支持具は、これに一体形成されるか一体に付帯して設けられた弾性変形部にて、既製ストローの途中をその吸い口が上方へ突出させる復元力を持って交換できるように保持し、この保持部に、既製ストローとの間の吸気可能な逆止シール部を有し、
ストロー支持具および既製ストローのない飲み口からの直飲みと既製ストローを用いた吸い飲みとができるようにしたことを特徴とするハイブリッドボトル。
【請求項４】
飲料を収容するための断熱構造を有した容器本体と、
この容器本体の容器口において容器本体内に通じる液通路を一部に有して直飲みをすることができる飲み口を持った飲み口部と、
前記容器口、飲み口部または液通路の少なくとも１つと飲み口を通じ着脱できるように嵌まり合い、既製ストローを交換できるように保持するとともにその吸い口が上方へ突出するように付勢して前記液通路に支持するストロー支持具と、を備え、
ストロー支持具は、既製ストローまわりの吸気路を形成し、
ストロー支持具および既製ストローのない飲み口からの直飲みと既製ストローを用いた吸い飲みとができるようにしたことを特徴とするハイブリッドボトル。
【請求項５】
飲料を収容するための断熱構造を有した容器本体と、
この容器本体の容器口において容器本体内に通じる液通路を一部に有して直飲みをすることができる飲み口を持った飲み口部と、
前記容器口、飲み口部または液通路の少なくとも１つと飲み口を通じ着脱できるように相互間のシール部を有して嵌まり合い、既製ストローを交換できるように保持するとともにその吸い口が上方へ突出するように付勢して前記液通路に支持するストロー支持具と、を備え、
ストロー支持具は、既製ストローとの相互間に吸気路と、この吸気路の吸気可能な逆止シール部と、を有し、
ストロー支持具および既製ストローのない飲み口からの直飲みと既製ストローを用いた吸い飲みとができるようにしたことを特徴とするハイブリッドボトル。
【請求項６】
飲料を収容するための断熱構造を有した容器本体と、
この容器本体の容器口において容器本体内に通じる液通路を一部に有して直飲みをすることができる飲み口を持った飲み口部と、
前記容器口、飲み口部または液通路の少なくとも１つと飲み口を通じ着脱できるように嵌まり合い、既製ストローを交換できるように保持するとともにその吸い口が上方へ突出するように付勢して前記液通路に支持するストロー支持具と、を備え、
ストロー支持具および既製ストローのない飲み口からの直飲みと既製ストローを用いた吸い飲みとができるようにしたことを特徴とするハイブリッドボトル。
【請求項７】
前記容器口または飲み口部に着脱できるように装着されて、飲み口を覆い、既製ストローが装着されているときは、その吸い口を没入させて格納状態に保持する蓋を備えた請求項２〜６のいずれか１項に記載のハイブリッドボトル。
【発明の詳細な説明】
【０００１】
【発明の属する技術分野】
本発明はストローを用いない直飲みと、突出作用を有した既製ストローによる吸い飲みとに選択使用できるハイブリッドボトルに関するものである。
【０００２】
【従来の技術】
お茶やコーヒー、紅茶などの嗜好性飲料、ミネラルウオーターや蒸留水などの浄水や清水、スポーツ飲料などの各種飲料が、ボトルに収容して、身近に置き、あるいは携行して用いられている。
【０００３】
こうしたポットを用いるのに、スポーツ中、あるいはスポーツ終了時など、失った水分を補給するために比較的多量の飲料を一挙に飲み干すことの多い用途では、容器本体の飲み口からの直飲みが適している。一方、分別の弱い児童等が思わず多量の飲料を一挙に飲んでしまうのを制限したり、少量ずつ飲みやすくしたり、化粧をした女性などが飲み口に触れないで飲めるようにしたりする用途では、ストローを使用して吸い飲みできるようにするのが適している。特に、蛇腹部を持ったストローでは、蛇腹部の折り曲げ向きによって容器本体の向きに制限されずに自由な向きから飲める利点がある。
【０００４】
従来、図１４に示すような専用ストローａを用いて飲料を吸い飲みするボトルが知られている（例えば、特許文献１参照。）。このものは、図１４に示すように容器本体ｂの容器口ｃに、専用ストローａを突出方向にばねｊで付勢して支持する支持部材ｄを装着し、支持部材ｄの一部にヒンジｅにより開閉できるように連結した蓋ｆを設けている。蓋ｆは専用ストローａを押し込んだ閉じ状態でその自由端側が支持部材ｄの係止部ｇによって弾性係止され、専用ストローａを押し込み状態に保持するようにしている。専用ストローａは前記ばね付勢のためのばね受部ｈと、突出位置にて容器本体ｂの底部近くに位置して収容飲料を余り残さずに飲み切れるようにする下端部と、突出位置から押し込まれたときの容器本体ｂの底部との干渉を可撓性によって吸収するための可撓管部ｋとを有している。
【０００５】
また、従来、図１５に示すような１つの栓ｍで注ぎ出しと直飲みとができるボトルが知られている（例えば、特許文献２参照。）。このものは、図１５に示すように容器口ｃに装着した栓ｍに注ぎ出し形式用の液通路ｎと直飲み形式用の液通路ｏを備えている。液通路ｎはその注ぎ口ｐと第１の弁体ｑを、液通路ｏはその飲み口ｒと第２の弁体ｓをそれぞれ備え、飲み口ｒの２態様への切り換え操作によって第１の弁体ｑと第２の弁体ｓのいずれかを開放し、注ぎ出しと直飲みとが選択できるようにしている。
【０００６】
また、従来、図１６に示すような直飲みができるボトルも知られている（例えば、特許文献３参照。）。このものは図１６に示すように、容器本体ｂの容器口ｃに飲み口部材ｔを装着し、この飲み口部材ｔの前部に飲み口ｒを形成し、後部に蓋ｆをヒンジｅにより開閉できるように連結してある。飲み口部材ｔの前記飲み口ｒとヒンジｅとの間に底部ｕを形成し、この底部ｕの飲み口ｒ側の最低位部に液通穴ｖを形成し、この液通穴ｖを通じて内容液が飲み口ｒへ注ぎ出されて直飲みできるようにしている。底部ｕのヒンジｅ側の最高位部に空気穴ｗを形成している。蓋ｆには閉じ状態にロックされて前記液通穴ｖと空気穴ｗとを閉じる弁部ｘ、ｙを有している。
【０００７】
【特許文献１】
特開２００２−１９１５１１号公報（図３）
【０００８】
【特許文献２】
特開平０９−３１３３６３号公報（図１）
【０００９】
【特許文献３】
特開２００２−１０２０７８号公報（図１）
【００１０】
【発明が解決しようとする課題】
しかし、上記図１４に示す従来例は専用ストローａを用いた吸い飲みだけができ、図１５、図１６に示す従来例は飲み口ｒを用いた直飲みだけができるもので、それぞれ１通りの飲み方しかできない。従って、それら各１つにおいて、時と場合によって直飲みと、吸い飲みとを選択して用いることができない。図１５に示すものは直飲みの他、注ぎ出しができても飲み方を複数選択することはできない。
【００１１】
また、吸い飲みができる図１４に示すものは、専用ストローａを用いる代わりに、そのことによって蓋を開放すると自動的に突出する使用に便利な構造を難なく採用できる。しかし、専用ストローａは細く長いものになるので、小まめに洗浄しないと汚れやすいし、取り扱い上損傷もしやすいので、汚れや損傷によって交換しようとすると、専用ストローａをわざわざ入手しなければならない不便があるし、高価にもつく。
【００１２】
そこで、多量生産され安価に市販される既製品である既製ストローを、必要に応じて選択使用できれば便利であり、望まれるところである。特に、蛇腹部を持った既製ストローが使用できれば、既述したように、容器本体の向きに制限されずに自由な向きから飲める。
【００１３】
また、やや大きな飲み口から直飲みできるボトルでは、既製ストローを挿入して吸い飲みすることができても、挿入した既製ストローを安定させられないので、人が小走りしたり歩いたりするなど動きながら飲むには飲みにくい。加えて、吸い飲み後に蓋をするとき既製ストローは収納しにくく、取り扱い難い。また、この既製ストローの自由な動きを規制して安定させ吸い飲みしやすくするほど、飲料の吸い出しに伴う外気の吸引が制限されて吸い飲みに負荷が生じて却って飲みにくくなる。
【００１４】
本発明の目的は、ストローを用いない直飲みと、突出習性を有した既製ストローによる吸い飲みとに選択使用してしかも飲みやすいハイブリッドボトルを提供することにある。
【００１５】
【課題を解決するための手段】
上記の目的を達成するために、本発明のハイブリッドボトルは、飲料を収容するための断熱構造を有した容器本体と、この容器本体の容器口において容器本体内に通じる液通路を一部に有して直飲みできる飲み口を有した飲み口部と、前記容器口または飲み口部に着脱できるように装着されて飲み口を覆う蓋と、前記飲み口部または液通路にて既製ストローの軸まわりを上下２カ所にて交換できできるように保持するストロー支持具と、を備え、飲み口からの直飲みと既製ストローによる吸い飲みとに選択使用できるようにしたことを１つの特徴としている。
【００１６】
このような構成では、断熱構造を有した容器本体によって飲料を収容し保温、保冷して傍に置き、あるいは携行するなどしながらその時々の飲用に供するのに、前記飲み口を用いた直飲みと、前記既製ストローを用いた吸い飲みとを選択できるようにした構成から、蓋を取り外すことによって前記いずれかを選択したハイブリッド使用ができる。特に、既製ストローはその軸まわりをストロー支持具によって上下２カ所にて保持していて安定するので吸い飲みしやすいし、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。また、蓋で飲み口を閉じることができるし、その際に既製ストローを格納状態に覆うことができる。
【００１７】
さらなる構成として、ストロー支持具は、既製ストローの軸まわりを上下２箇所にて保持するのに、容器口、飲み口部、液通路の少なくともいずれか１つに嵌め合わされる筒部とすると、前記上下２カ所での保持部を設けやすい。この場合、筒部の底部で既製ストローの一箇所を保持すると、既製ストローを吸い口が上方に突出するように付勢するような構成とするのに、付勢部材を筒部内に収容して底部と既製ストローとの間に働かせ、外観がシンプルでかつ容器口、飲み口部、液通路の少なくともいずれか１つと嵌め合わされる筒部の範囲に納まるコンパクトなユニットに構成することができる。従って、ストロー支持具を容器口、飲み口部、液通路の少なくともいずれか１つとの嵌め合わせにおいて、飲み口などを通じ取り外せるようにして、ストロー支持具および既製ストローがない飲み口での直飲みができるようにするのに、着脱しやすく取り外したときの取り扱いが容易で外力によって破損しにくいものになる。しかも、着脱が飲み口を通じて行えると蓋を取り外した状態で即着脱ができ、直飲みと既製ストローによる吸い飲みとの選択使用が難なく行える。
【００１８】
また、底部との間に働く付勢部材を既製ストローが受けるのにばね座が用いられる場合、このばね座を筒部の上部内面で軸まわりから受けることによって既製ストローの上部側を特別な部材なしに保持することができる。既製ストローはばね座を蛇腹部の下で受け止める構成とすることにより、既製形態のままで付勢部材の働きを受けることができる。また、別に、筒部の一体または弁体な底部の筒部内での弾性復元力を利用して既製ストローを吸い口が突出するように突出習性を与えて保持することができるし、必要なら双方間でのシール、特に、吸気可能な逆止シール機能を発揮させられ、必要な機能を満足しながら構造がさらに簡略化する。
【００１９】
本発明のハイブリッドボトルは、また、飲料を収容するための断熱構造を有した容器本体と、この容器本体の容器口において容器本体内に通じる液通路を一部に有して直飲みをすることができる飲み口を持った飲み口部と、前記容器口、飲み口部または液通路の少なくとも１つと着脱でき、かつ相互間のシール部を有して嵌まり合って、既製ストローを前記液通路内に支持するストロー支持具と、を備え、ストロー支持具は、既製ストローの途中を相互間の吸気可能な逆止シール部を有して交換できるように保持するとともに、既製ストローにその吸い口を上方へ突出するように突出習性を与える付勢部を有し、ストロー支持具および既製ストローのない飲み口からの直飲みと既製ストローを用いた吸い飲みとができるようにしたことを別の特徴としている。
【００２０】
このような構成では、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００２１】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、少なくともそれら１つとの間、および既製ストローとの間のシール部によって人が動きながらの飲用中にても飲料のいずれからの漏れも防止するとともに、既製ストローとの間のシール部の逆止シール機能による吸い飲みに伴う負圧に応じた外気の吸入を図ってさらに飲みやすくすることができる。一方、ストロー支持具は前記嵌め合いを解くことによって既製ストローを保持したまま液通路および飲み口から取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００２２】
本発明のハイブリッドボトルは、また、飲料を収容するための断熱構造を有した容器本体と、この容器本体の容器口において容器本体内に通じる液通路を一部に有して直飲みをすることができる飲み口を持った飲み口部と、前記容器口、飲み口部または液通路の少なくとも１つと着脱でき、かつ相互間のシール部を有して嵌まり合って、既製ストローを前記液通路内に支持するストロー支持具と、を備え、ストロー支持具は、これに一体形成されるか一体に付帯して設けられた弾性変形部にて、既製ストローの途中をその吸い口が上方へ突出させる復元力を持って交換できるように保持し、この保持部に既製ストローとの間の吸気可能な逆止シール部を有し、ストロー支持具および既製ストローのない飲み口からの直飲みと既製ストローを用いた吸い飲みとができるようにしたことを他の特徴としている。
【００２３】
このような構成では、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００２４】
具体的には、ストロー支持具は既製ストローを吸い口が突出するようにして液通路に支持して吸い飲みしやすくるのに、容器口、飲み口部または液通路の少なくとも１つとの嵌め合わせにて安定させより飲みやすくそれを実現しながら、少なくともそれら１つとの間、および既製ストローとの間のシール部によって人が動きながらの飲用中にても飲料のいずれからの漏れも防止するとともに、既製ストローとの間のシール部が有した逆止シール機能により吸い飲みに伴う負圧に応じた外気の吸入を図ってさらに飲みやすくすることができる。一方、ストロー支持具は前記嵌め合いを解くことによって既製ストローを保持したまま液通路および飲み口から取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。しかも、ストロー支持具はそれに一体成形されるか一体に付帯して設けられた弾性変形部にて、既製ストローの交換できる保持、復元力により吸い口を突出させる働き、逆止シール部を実現するので、特別な保持部、コイルスプリングなどの付勢部材、シール部材が不要で、部品点数の少ない構造が簡単で安価なものとなる。
【００２５】
本発明のハイブリッドボトルは、また、飲料を収容するための断熱構造を有した容器本体と、この容器本体の容器口において容器本体内に通じる液通路を一部に有して直飲みをすることができる飲み口を持った飲み口部と、前記容器口、飲み口部または液通路の少なくとも１つと飲み口を通じ着脱できるように嵌まり合い、既製ストローを交換できるように保持するとともにその吸い口が上方へ突出するように付勢して前記液通路に支持するストロー支持具と、を備え、ストロー支持具は、既製ストローまわりの吸気路を形成し、ストロー支持具および既製ストローのない飲み口からの直飲みと既製ストローを用いた吸い飲みとができるようにしたことを今１つの特徴としている。
【００２６】
このような構成では、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００２７】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、既製ストローによる吸い飲みに伴いストロー支持具による既製ストローまわりの吸気路を通じて外気が導入されるので、負荷なく容易に吸い飲みできるようにする。また、ストロー支持具はこれと嵌め合わせた容器口、飲み口部または液通路の少なくともそれら１つとの間で飲み口を通じ着脱できるので、飲み口が露出した状態でそのまま前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００２８】
本発明のハイブリッドボトルは、また、飲料を収容するための断熱構造を有した容器本体と、この容器本体の容器口において容器本体内に通じる液通路を一部に有して直飲みをすることができる飲み口を持った飲み口部と、前記容器口、飲み口部または液通路の少なくとも１つと飲み口を通じ着脱できるように相互間のシール部を有して嵌まり合い、既製ストローを交換できるように保持するとともにその吸い口が上方へ突出するように付勢して前記液通路に支持するストロー支持具と、を備え、ストロー支持具は、既製ストローとの相互間に吸気路と、この吸気路の吸気可能な逆止シール部と、を有し、ストロー支持具および既製ストローのない飲み口からの直飲みと既製ストローを用いた吸い飲みとができるようにしたことを、さらなる１つの特徴としている。
【００２９】
このような構成では、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００３０】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、少なくともそれら１つとの間、および既製ストローとの間の吸気路、の各シール部によって人が動きながらの飲用中にても飲料のいずれからの漏れも防止するとともに、吸気路とその逆止シール部により吸い飲みに伴う負圧に応じた外気の吸入を図ってさらに飲みやすくすることができる。また、ストロー支持具はこれと嵌め合わせた容器口、飲み口部または液通路の少なくともそれら１つとの間で飲み口を通じ着脱できるので、飲み口が露出した状態で前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００３１】
本発明のハイブリッドボトルは、また、飲料を収容するための断熱構造を有した容器本体と、この容器本体の容器口において容器本体内に通じる液通路を一部に有して直飲みをすることができる飲み口を持った飲み口部と、前記容器口、飲み口部または液通路の少なくとも１つと飲み口を通じ着脱できるように嵌まり合い、既製ストローを交換できるように保持するとともにその吸い口が上方へ突出するように付勢して前記液通路に支持するストロー支持具と、を備え、ストロー支持具および既製ストローのない飲み口からの直飲みと既製ストローを用いた吸い飲みとができるようにしたことを、さらに別の特徴としている。
【００３２】
このような構成では、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００３３】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現し、ストロー支持具はこれと嵌め合わせた容器口、飲み口部または液通路の少なくともそれら１つとの間で飲み口を通じ着脱できるので、飲み口が露出した状態で前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００３４】
前記蓋を規定していない各発明において、前記容器口または飲み口部に着脱できるように装着されて、飲み口を覆い、既製ストローが装着されているときは、その吸い口を没入させて格納状態に保持する蓋を備えたものとすることができる。
【００３５】
このような構成により容器本体の容器口または飲み口部に装着される蓋によって飲み口を閉じることができるし、既製ストローが液通路に保持されているときはそれを突出習性に抗して没入させ、かさ低い格納状態にして覆うことができる。
【００３６】
本発明のそれ以上の目的および特徴は、以下に続く詳細な説明および図面の記載によって明らかになる。本発明の各特徴はそれ自体単独で、あるいは種々な組合せで複合して採用することができる。
【００３７】
【実施例】
以下、本発明の実施例について幾つかの例とともに図１〜図１３を参照しながら説明し、本発明の理解に供する。
【００３８】
本実施例のハイブリッドボトルは、１つの例として飲料を収容するための断熱構造を有した容器本体１を採用している。しかし、本発明のハイブリッド使用の特徴からは、断熱構造を持たないものを採用してもよくその効果は損なわれない。また、本実施例では断熱構造を有した容器本体１として図１に示すようにステンレス鋼製の内外容器３ａ、３ｂ間の胴部および底部に真空空間２を持った真空二重容器３を採用している。しかし、これに限られることはないし、断熱構造は断熱材を採用したものや複数の断熱構造が複合したものでもよい。もっとも、断熱構造は容器本体１を構成する全壁に形成する方が収容した飲料に対する保温性、保冷性は高まる。真空二重容器３はまた、１つの例として金属製、具体的には熱伝動性が低く耐蝕性に優れたステンレス鋼製のものとしてあり、比較的剛性も高いことから合成樹脂や金属からなる外装ケースを設けず真空二重容器３自体が容器本体１の外面をなすようにしている。
【００３９】
本実施例はこのような容器本体１の容器口４において、容器本体１内に通じる液通路５を一部に有して直飲みをすることができる飲み口６を持った飲み口部７、および飲み口６を閉じる蓋２１を有している。蓋２１はこれら容器口４または飲み口部７に着脱できるように装着すればよく、容器口４、飲み口部７または液通路５にストロー支持具１０が設けられている。このストロー支持具１０は、図１〜図７に示す例、図８、図９に示す例、図１０、図１１に示す例のように、前記飲み口部７または液通路５にて既製ストロー１３の軸まわりを上下２カ所Ａ、Ｂにて交換できできるように保持しており、飲み口６からの直飲みと既製ストロー１３による吸い飲みとに選択使用できるようにしている。飲み口６からの直飲みは液通路５におけるストロー支持具１０またはおよび既製ストロー１３まわりをそのまま利用したり、これに加え、またはこれとは別に、液通路５が既製ストロー１３単独の取り外し、または既製ストロー１３およびストロー支持具１０共の取り外しによって開放される部分を利用したりして実現することができる。本実施例のそれは、後述するが既製ストロー１３を保持したままのストロー支持具１０を液通路５から、しかも飲み口６を通じて極く簡単に着脱できるようにしている。
【００４０】
これら直飲みと吸い飲みとの選択使用方式の違いの別なく、断熱構造を有した容器本体１は、飲料を収容し保温、保冷して傍に置き、あるいは携行するなどしながらその時々の飲用に供することができる。その際、前記飲み口６を用いた直飲みと、前記既製ストロー１３を用いた吸い飲みとを選択できるようにした構成から、蓋２１を取り外すことによって前記いずれかを選択したハイブリッド使用ができる。特に、既製ストロー１３はその軸まわりをストロー支持具１０によって上下２カ所Ａ、Ｂにて保持していて安定するのでこれだけでも吸い飲みしやすい。また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利である。場合によっては種類替えもできる。また、蓋２１で飲み口６を閉じることができるし、その際に既製ストロー１３を格納状態に覆うことができる。ストロー支持具１０での既製ストロー１３の交換ができる保持とは、ストロー支持具１０に対し少なくとも下方への不用意な位置ずれや脱落がなく、ストロー支持具１０の上方から既製ストロー１３を手で簡単に抜き差しできるのが好適である。従って、ゴムなどの弾性体よりなるシール部材との密嵌合程度の嵌め合わせによる保持程度であれば十分対応できるし、図１０で代表して示しているように既製ストロー１３の蛇腹部１３ｃを下方より支持する場合には、既製ストロー１３が極端にふらつかない程度の遊びを設けて保持してもよい。
【００４１】
ストロー支持具１０は、既製ストロー１３の軸まわりを上下２箇所にて保持するのに、図１〜図７の例の図１〜図４に示し、図８、図９の例の図に示し、図１０、図１１の例の図に示すように、容器口４、飲み口部７、液通路５の少なくともいずれか１つに嵌め合わされる筒部３２とすると、前記上下２カ所Ａ、Ｂでの保持部を設けやすい。この場合、図に示すように筒部３２の底部３２ａで既製ストロー１３の下側一箇所Ｂを保持すると、既製ストロー１３を吸い口１３ａが上方に突出するように付勢するような構成とするのに、ばね１１などの付勢部材を有底の筒部３２内に収容してその底部３２ａと既製ストロー１３との間に働かせて、外観がシンプルでかつ容器口４、飲み口部７、液通路５の少なくともいずれか１つと嵌め合わされる筒部３２の範囲に納まるコンパクトなユニットに構成することができる。従って、ストロー支持具１０を容器口４、飲み口部７、液通路５の少なくともいずれか１つとの嵌め合わせにおいて、飲み口６などを通じて取り外せるようにして、ストロー支持具１０および既製ストロー１３がない飲み口６での直飲みができるようにするのに、着脱しやすく取り外したときの取り扱いが容易で外力によってもの破損しにくいものになる。しかも、着脱が飲み口６を通じて行えると蓋２１を取り外した状態で即着脱ができ、飲み口６による直飲みと既製ストロー１３による吸い飲みとの選択使用が難なく行える。
【００４２】
また、前記底部３２ａと既製ストロー１３との間に働く付勢部材であるばね１１を既製ストロー１３が受けるのに図に示すようなばね座３４が用いられる場合、このばね座３４を筒部３２の上部内面で軸まわりから受けることによって既製ストロー１３の上側１箇所Ａを特別な部材なしに保持することができる。既製ストロー１３は図に示すようにばね座３４を蛇腹部１３ｃの下で受け止める構成とすることにより、既製形態のままでばね１１などの付勢部材の働きを受けることができる。
【００４３】
また、別に、図１２、図１３の例の図に示すストロー支持具１０のように筒部３２のこれに一体形成するか図示するように一体に付帯して設けた弾性変形部である底部５５ｃの筒部３２内での上方への弾性復元力を利用して既製ストロー１３を吸い口１３ａが上方へ突出するように突出習性を与えて保持することができるし、必要なら双方間でのシール機能、吸気可能な逆止シール機能を発揮させられ、必要な機能を満足しながら構造がさらに簡略化する。
【００４４】
本実施例では、また、別の例として、図１〜図７の例の図１〜図４に示すように前記容器口４、飲み口部７または液通路５の少なくとも１つと着脱でき、かつ相互間のシール部となるシール部材３１を有して嵌まり合って、既製ストロー１３を前記液通路５内に支持するストロー支持具１０を備え、ストロー支持具１０は、既製ストロー１３の途中を相互間の吸気可能な逆止シール部であるシール部材３３を有して交換できるように保持するとともに、既製ストロー１３にその吸い口１３ａを上方へ突出するように突出習性を与える付勢部材としてのばね１１を有し、ストロー支持具１０および既製ストロー１３のない飲み口６からの直飲みと既製ストロー１３を用いた吸い飲みとができるようにしたものとしている。
【００４５】
これにより、断熱構造を有した容器本体１によって飲料を収容し保温、保冷して傍に置き、あるいは携行するなどしながらその時々の飲用に供するのに、前記飲み口６を用いた直飲みと、前記既製ストロー１３を用いた吸い飲みとを選択したハイブリッド使用に供することができる。具体的には、ストロー支持具１０は既製ストロー１３を吸い口１３ａが突出するようにして液通路５に支持して吸い飲みしやすくするのに、容器口４、飲み口部７または液通路５の少なくとも１つとの嵌め合わせにて安定させより飲みやすくそれを実現しながら、少なくともそれら１つとの間、および既製ストロー１３との間のシール部材３１、３３によって人が動きながらの飲用中にても飲料のいずれからの漏れも防止するとともに、既製ストロー１３との間のシール部材３３が有した逆止シール機能により吸い飲みに伴う負圧に応じて外気の吸入を図ってさらに飲みやすくすることができる。しかも、シール部材３３は筒部３２の底部３２ａと既製ストロー１３との間に設けられているので、既製ストロー１３を支持し上方に向け付勢している筒部３２内に飲料が侵入することもない。
【００４６】
一方、ストロー支持具１０は前記嵌め合いを解くことによって既製ストロー１３を保持したままのストロー支持具１０を液通路５および飲み口６から容易に取り外して、これらのない状態で直飲みしやすくすることができる。また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利であるし、場合によっては種類替えもできる。
【００４７】
本実施例では、また、他の例として図１０、図１３の例で図示するように、前記容器口４、飲み口部７または液通路５の少なくとも１つと着脱でき、かつ相互間のシール部であるシール部材３１を有して嵌まり合って、既製ストロー１３を前記液通路５内に支持するストロー支持具１０を備え、ストロー支持具１０は、これに一体形成されるか図に示すように一体に付帯して設けられたゴムなどの弾性変形部としての底部５５ｃにて、既製ストロー１３の途中１箇所Ｃをその吸い口１３ａが上方へ突出させる復元力を持って交換できるように保持し、この保持部での底部５５ｃに既製ストロー１３との間の逆止シール機能を有したシール部５５ｄを設け、ストロー支持具１０および既製ストロー１３のない飲み口６からの直飲みと既製ストロー１３を用いた吸い飲みとができるようにしている。
【００４８】
これによると、断熱構造を有した容器本体１によって飲料を収容し保温、保冷して傍に置き、あるいは携行するなどしながらその時々の飲用に供するのに、前記飲み口６を用いた直飲みと、前記既製ストロー１３を用いた吸い飲みとを選択したハイブリッド使用に供することができる。具体的には、ストロー支持具１０は既製ストロー１３を吸い口１３ａが上方に突出するようにして液通路５に支持して吸い飲みしやするのに、容器口４、飲み口部７または液通路５の少なくとも１つとの嵌め合わせにて安定させより飲みやすくそれを実現しながら、少なくともそれら１つとの間、および既製ストロー１３との間のシール部３１、５５ｅによって人が動きながらの飲用中にても飲料のいずれからの漏れも防止するとともに、既製ストロー１３との間のシール部５５ｄが有した吸気可能な逆止シール機能により吸い飲みに伴う負圧に応じた外気の吸入を図ってさらに飲みやすくすることができる。一方、ストロー支持具１０は前記嵌め合いを解くことによって既製ストロー１３を保持したままのストロー支持具１０を液通路５および飲み口６から取り外して、これらのない状態で直飲みしやすくすることができる。
【００４９】
また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利である。場合によっては種類替えもできる。しかも、ストロー支持具１０はそれに一体成形するか一体に付帯して設けた弾性変形部である底部５５ｃにて、既製ストロー１３の交換できる保持、復元力により吸い口１３ａを上方に突出させる働き、逆止シール機能をを実現するので、特別な保持部材、コイルスプリングなどの付勢部材、シール部材が不要で、部品点数の少ない構造が簡単で安価なものとなる。
【００５０】
本実施例のハイブリッドボトルは、また、今１つの例として、図１〜図７の例の図１〜図４に示し、図８、図９の例の図に示し、図１０、図１１の例の図に示し、図１２、図１３の例の図に示すように、前記容器口４、飲み口部７または液通路５の少なくとも１つと飲み口６を通じ着脱できるように嵌まり合い、既製ストロー１３を交換できるように保持するとともにその吸い口１３ａが上方へ突出するように付勢して前記液通路５に支持するストロー支持具１０を備え、このストロー支持具１０は、既製ストロー１３まわりの吸気路４４を形成し、ストロー支持具１０および既製ストロー１３のない飲み口６からの直飲みと既製ストロー１３を用いた吸い飲みとができるようにしている。
【００５１】
これによると、断熱構造を有した容器本体１によって飲料を収容し保温、保冷して傍に置き、あるいは携行するなどしながらその時々の飲用に供するのに、前記飲み口６を用いた直飲みと、前記既製ストロー１３を用いた吸い飲みとを選択したハイブリッド使用に供することができる。具体的には、ストロー支持具１０は既製ストロー１３を吸い口１３ａが突出するようにして液通路５に支持して吸い飲みしやすくするのに、容器口４、飲み口部７または液通路５の少なくとも１つとの嵌め合わせにて既製ストロー１３を安定させより飲みやすくそれを実現しながら、既製ストロー１３による吸い飲みに伴いストロー支持具１０による既製ストロー１３まわりの吸気路４４を通じて外気が導入されるので、負荷なく容易に吸い飲みできるようにする。また、ストロー支持具１０はこれと嵌め合わせた容器口４、飲み口部７または液通路５の少なくともそれら１つとの間で飲み口６通じ着脱できるので、飲み口６が露出した状態でそのまま前記嵌め合いを直に解いて、既製ストローを保持したままのストロー支持具１０を液通路５および飲み口６から容易に取り外して、これらのない状態で直飲みしやすくすることができる。また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利であるし、場合によっては種類替えもできる。
【００５２】
本実施例は、また、さらなる１つの例として、図１〜図７の例の図１〜図４に示し、図８、図９の例の図に示し、図１２、図１３の例の図に示すように、前記容器口４、飲み口部７または液通路５の少なくとも１つと飲み口６を通じ着脱できるように相互間のシール部であるシール部材３１を有して嵌まり合い、既製ストロー１３を交換できるように保持するとともにその吸い口１３ａが上方へ突出するように付勢して前記液通路５に支持するストロー支持具１０を備え、このストロー支持具１０は、既製ストロー１３まわりの吸気路４４と、この吸気路４４の吸気可能な逆止シール部としてのシール部材３３およびシール部５５ｄ、を有し、ストロー支持具１０および既製ストロー１３のない飲み口６からの直飲みと既製ストロー１３を用いた吸い飲みとができるようにしている。
【００５３】
これによると、断熱構造を有した容器本体１によって飲料を収容し保温、保冷して傍に置き、あるいは携行するなどしながらその時々の飲用に供するのに、前記飲み口６を用いた直飲みと、前記既製ストロー１３を用いた吸い飲みとを選択したハイブリッド使用に供することができる。具体的には、ストロー支持具１０は既製ストロー１３を吸い口１３ａが上方に突出するようにして液通路５に支持して吸い飲みしやすくするのに、ストロー支持具１０は、容器口４、飲み口部７または液通路５の少なくとも１つとの嵌め合わせにて既製ストロー１３を安定させてより飲みやすくそれを実現しながら、少なくともそれら１つとの間、および既製ストロー１３との間の吸気路４４、のシール部材３３およびシール部５５ｄによって人が動きながらの飲用中にても飲料のいずれからの漏れも防止するとともに、吸気路４４とそのシール部５５ｄが有した逆止シール機能により吸い飲みに伴う負圧に応じた外気の吸入を図って飲みやすくすることができる。また、ストロー支持具１０はこれと嵌め合わせた容器口４、飲み口部７または液通路５の少なくともそれら１つとの間で飲み口６を通じ着脱できるので、飲み口６が露出している状態でそのまま前記嵌め合いを直に解いて、既製ストロー１３を保持したままのストロー支持具１０を液通路５および飲み口６から容易に取り外して、これらのない状態で直飲みしやすくすることができる。また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利であるし、場合によっては種類替えもできる。
【００５４】
本実施例は、さらに別の例として、図１〜図７の例の図１〜図４に示し、図８、図９の例の図に示し、図１０、図１１の例の図に示し、図１２、図１３の例の図に示すように、前記容器口４、飲み口部７または液通路５の少なくとも１つと飲み口６を通じ着脱できるように嵌まり合い、既製ストロー１３を交換できるように保持するとともにその吸い口１３ａが上方へ突出するように付勢して前記液通路５に支持するストロー支持具１０を備え、このストロー支持具１０および既製ストロー１３のない飲み口６からの直飲みと既製ストロー１３を用いた吸い飲みとができるようにしている。
【００５５】
これによると、断熱構造を有した容器本体１によって飲料を収容し保温、保冷して側に置き、あるいは携行するなどしながらその時々の飲用に供するのに、前記飲み口６を用いた直飲みと、前記既製ストロー１３を用いた吸い飲みとを選択したハイブリッド使用に供することができる。具体的には、ストロー支持具１０は既製ストロー１３を吸い口１３ａが上方に突出するようにして液通路５に支持して吸い飲みしやすくするのに、ストロー支持具１０は容器口４、飲み口部７または液通路５の少なくとも１つとの嵌め合わせにて既製ストロー１３を安定させより飲みやすくそれを実現しながら、ストロー支持具１０はこれと嵌め合わせた容器口４、飲み口部７または液通路５の少なくともそれら１つとの間で飲み口６を通じ着脱できるので、飲み口６が露出した状態でそのまま前記嵌め合いを直に解いて、既製ストロー１３を保持したままのストロー支持具１０を液通路５および飲み口６から容易に取り外して、これらのない状態で直飲みしやすくすることができる。また、前記既製ストロー１３のストロー支持具１０による保持が交換できるようになされているので、既製ストロー１３が汚損したり損傷したりしたときはそれが多量生産して安価に供されるものであることから、交換しながら使い捨て使用することができ便利であるし、場合によっては種類替えもできる。
【００５６】
以上のように既製ストロー１３をストロー支持具１０ごと着脱できる飲み口６は、図１〜図７の例の図１、図２、図５〜図７に示し、図８、図９の例の図８に示し、図１０、図１１の図１０に示し、図１２、図１３の例の図１３に示すように、前記容器口４または飲み口部７に着脱できるように装着される蓋２１によって覆うことができるし、図１〜図７の例の図１、図２に示し、図８、図９の例の図８に示し、図１０、図１１の図１０に示し、図１２、図１３の例の図１２に示すように、既製ストロー１３が装着されているときは、その吸い口１３ａを飲み口６内に没入させて格納状態に保持することができる。
【００５７】
ここで、図１〜図７に示す１つの例について詳述すると、真空二重容器３の口部３ｃに、真空二重容器３とは別体の合成樹脂製の口部材２２を螺子合わせ部２３によって着脱できるように装着して容器口４を形成し、特定の形状および構造を有した飲み口部７を樹脂成形によって容易に得られるようにしている。しかし、容器口４、飲み口部７、飲み口６はどのように分割して形成されても、またどの範囲を一体にして形成されてもよい。また、用いる材料も自由に選択することができる。
【００５８】
口部材２２は口部３ｃの内側に装着されているが、外側でもよく、口部３ｃとの間の適所にシールパッキン２４を設けて相互間をシールしている。この種のシール位置は例えば図１にその１つの例を示すように容器本体１の内側に最も近い位置が好適である。口部材２２に口部３ｃとの嵌め合わせ部を覆うカバー壁を一体に形成しておくことはできる。しかし、本例では１つの例として容器口４から飲み口部７が径を小さくして上に延びる部分にできる肩部２５および前記嵌め合わせ部を覆うカバー２６を設けて外観を整え、カバー２６と真空二重容器３の胴部とがほぼ面一に並ぶようにしてある。カバー２６は合成樹脂製として口部材２２に位置合わせおよびまわり止めのための凹凸嵌まり合い部２７を有して接合してある。接合は超音波などによる溶着、螺子止め、螺子合わせ、接着などにて行う。
【００５９】
飲み口部７は特に、容器口４に対し一方側に偏って位置し、飲み口部７が偏った側を下にして容器本体１を傾倒させると、少ない傾倒角にて飲料を直飲みできる利点があり、この飲み口部７に既製ストロー１３を挿入することによって、既製ストロー１３を通じた飲料の吸い飲み時にも、容器本体１に必要な傾倒角を小さくすることができる。
【００６０】
ストロー支持具１０は飲み口部７の液通路５にシール部材３１部にて圧入される合成樹脂製の有底な筒部３２を有し、この筒部３２の底部３２ａに設けた穴３２ｂに既製ストロー１３の蛇腹部１３ｃ下にある吸い上げ部１３ｄを上方から差し込み、底部３２ａと蛇腹部１３ｃとの間に働かせたコイル状のばね１１によって支持するとともに、上方への突出習性を与えるようにしてある。筒部３２はシール部材３１部での圧入によって装着状態に安定はする。しかし、本例では筒部３２の上端に外向きのフランジ３２ｃを一体に形成して、このフランジ３２ｃを飲み口６の上端に当接することで液通路５への挿入高さが一定になるようにしてある。同時に筒部３２が液通路５の奥にまで入り込んだり、真空二重容器３内に脱落したりするようなことを防止する。また、筒部３２の外周には上下２カ所に環状のガイド凸条３２ｄを形成してこれらが液通路５の内面に接するか少しの隙間を持って対向することで、筒部３２が液通路５内でそれと軸線がほぼ一致する所定の姿勢に保たれるようにする。シール部材３１は液通路５の内面側に設けてもよい。
【００６１】
筒部３２の穴３２ｂには既製ストロー１３の吸い上げ部１３ｄと接してシールするシール部材３３を設けてあり、このシール部材３３は上部では既製ストロー１３との間に隙間部３２ｂを有し、下部では前記筒部３２の底部３２ａの穴３２ｂにてそれとの間に遊びを持って下方に臨むシールリップ３３ａが既製ストロー１３の吸い上げ部１３ｄの外周に軽く接してどの上下位置にも静止させられる程度に保持いてシールするとともに、既製ストロー１３による吸い飲みに伴う負圧に応じた外気の吸い込みができる逆止シール機能を発揮できるようにしている。もっとも、このような逆止シール機能はメカニカルな構造を採用するなどどのようにも設けられる。このシール部材３３と吸い上げ部１３ｄの蛇腹部１３ｃ下に嵌め合わせた合成樹脂製のばね座３４との間に前記ばね１１を働かせてある。ばね座３４は筒部３２の内周と嵌まり合う筒壁３４ａを有し、筒部３２内を傾きやこじれなくスムーズに上下動できるようにしている。また、筒壁３４ａとばね座２４の上面とにわたる補強リブ３４ｂを放射状に多数一体形成してある。
【００６２】
筒部３２の上端には既製ストロー１３の吸い口１３ａを突出させる穴３５ａを有した蓋板３５を施し、超音波溶着などして一体化してある。しかし、螺子合わせ嵌合するなどして着脱できるようにしてもよい。筒部３２の上端と蓋板３５との間にもシール部材３６を設けてある。
【００６３】
前記蓋２１は合成樹脂製でキャップ型に形成され、１つの例として容器口４の飲み口部７であるが、その外周との螺子合わせ部４１にて着脱できるように装着してあり、ストロー支持具１０の装着の有無に影響されず単独で着脱でき、装着状態では前記のように飲み口６を閉じるとともに、既製ストロー１３が液通路５に支持されていれば、それをばね１１に抗して没入させ、かさ低い格納状態にして覆うことができる。もっとも、前記飲み口６をストロー支持具１０の装着の有無にかかわらず閉じるために、飲み口６におけるストロー支持具１０の蓋板３５が当接している上端の側周面との間で、図１、図５〜図７に示すように接してシールするシール部材４２を内周に設けてある。蓋２１の天井壁下面には装着されているストロー支持具１０における既製ストロー１３の吸い口１３ａと、これが穴３５ａから臨んでいる蓋板３５の前記穴３５ａの口縁３５ｂとに圧接して閉じるシール部材４３を有し、容器本体１に収容されている飲料の既製ストロー１３を通じた外部への流出を内外２重のシールにて防止する。もっとも、これらのシール構造は種々に設計することができるし、採用、不採用は自由である。
【００６４】
本例での具体的なハイブリッド使用につき説明する。図１（ａ）、図２に示すストロー支持具１０が既製ストロー１３を液通路５に支持して、蓋２１を閉じた状態では、既製ストロー１３は蓋２１によって蛇腹部１３ｃが収縮した状態でかつばね１１を押し縮めた状態にまで筒部３２内に押し込まれて、かさ低い格納状態となり、飲み口６が閉じられる。なお、蛇腹部１３ｃは蓋２１によらないで使用者が手で押し縮めておくこともできる。このような蓋２１による閉じ状態から蓋２１を取り外すと、既製ストロー１３は図３に示すようにばね１１の付勢によってストロー支持具１０の蓋板３５の穴３５ａから吸い口１３ａが上方に突出させられる。
【００６５】
このとき、既製ストロー１３の吸い上げ部１３ｄは図４に実線で示すように下端１３ｂが容器本体１の底部から大きく離れている。ここで、使用者が既製ストロー１３の蛇腹部１３ｃを図３に示す状態から図４に実線で示すように手などで引き延ばした後、吸い口１３ａを口に挟んで少し押し込んで図４に仮想線で示すように吸い上げ部１３ｄの下端１３ｂが容器本体１の底部に近づけ、あるいは接触させることができ、これによって、容器本体１内の飲料のほとんどを吸い飲むことができる。つまり飲み干せる。もっとも、既製ストロー１３の押し込みは飲料の残量が少なくなってからでもよい。
【００６６】
既製ストロー１３の前記容器本体１の底部までの押し込みに、蛇腹部１３ｃの伸長を利用するとその押し込み量を稼ぎやすいし、蛇腹部１３ｃの収縮により蓋２１を閉じることによる突出状態から格納状態への収縮率、筒部３２への格納効率を高めて必要高さを小さく抑えられる。これを満足するには蛇腹部１３ｃを伸長状態から収縮状態にする抵抗よりも、ばね１１の収縮抵抗の方が小さく設定しておくのが好都合である。
【００６７】
図１、図２に示す状態から、既製ストロー１３を支持しているストロー支持具１０を露出した飲み口６を通じ液通路５から図５のように取り外すと、液通路５の全域が開放されて飲み口６に通じる。従って、蓋２１を取り外して飲み口６を開放すると、容器本体１の傾倒角に応じて容器本体１に収容している飲料を、液通路５を通じストローによる狭い通路での流量規制なく飲み口６にまでスムーズに流出させて直飲みすることができる。
【００６８】
なお、ストロー支持具１０を取り外した図５の状態の容器本体１において、図６に示すように、弾性チューブ１３ｆの弾性復元力を利用した上方への突出習性を持った専用ストロー１３Ａを液通路５を通じて挿入して吸い飲みに供することもできる。蓋２１を飲み口部７に装着して飲み口６を閉じると、専用ストロー１３Ａは弾性チューブ１３ｆが図６に実線で示すように容器本体１の底部に押しつけられることで撓み、吸い口１３ａが閉じた蓋２１により押し込まれて格納状態に覆われることを可能とし、蓋２１が取り外されると、専用ストロー１３Ａは弾性チューブ１３ｆが図６に仮想線で示すように真っ直ぐな状態に伸びることによって吸い口１３ａを飲み口６から突出させて吸い飲みに供することができる。専用ストロー１３Ａは専用であることを活かして吸い口１３ａをやや肉厚の大きな強度の高いものとして、蓋２１による押し込みに耐えやすくし、頻繁に取り替えなくてよいように配慮している。
【００６９】
また、図６の場合の専用ストロー１３Ａに代えて、図７に示すように蛇腹部１３ｃを有した既製ストロー１３を用いることもできる。図７に示す例では実線で示すように蛇腹部１３ｃにて吸い口１３ａを下向きに折り返した状態で容器本体１に収容することで、かさ低い格納状態にして閉じた蓋２１により覆えるようにしている。蓋２１を取り外して飲み口６を開放し、格納状態の既製ストロー１３を少し引き上げて吸い口１３ａを飲み口６から引き出した後、図７に仮想線で示すように蛇腹部１３ｃを伸ばして吸い口１３ａを上向きに起こせば吸い飲みに供することができる。
【００７０】
なお、図１（ｂ）は蛇腹部のない既製ストロー１３Ｂをばね１１で支持し、上方への突出習性を与えるようにした場合の１つの例を示している。ばね１１は下端よりも上端側で径が小さくなり、最上端では既製ストロー１３Ｂよりも小さく既製ストロー１３Ｂを、止まり嵌め程度から締まり嵌め程度になるように巻き付き不用意な滑りや脱落がないよう支持できるようにしている。このようなばね１１の上端部に既製ストロー１３Ｂを支持するには、既製ストロー１３Ｂをばね１１の巻き弛み方向に回転させながら挿入していく。これにより、ばね１１が既製ストロー１３Ｂとの摩擦によって巻き弛んで既製ストロー１３Ｂを難なく受け入れ、既製ストロー１３Ｂがフリーになった状態で巻き締まるので、既製ストロー１３Ｂを所定の圧力にて支持させることができる。このような構成ではばね１１による既製ストロー１３Ｂなどの支持構造が簡略化する。円錐形状のばね１１は支持している既製ストロー１３Ｂに求心作用を与えて、筒部３２の中心位置に保つ作用を営む。
【００７１】
図８、図９に示す例では、ストロー支持具１０は、筒部３２の底部３２ａの穴３２ｂにシールブッシュ５１を設けてシールするとともに既製ストロー１３の下側箇所Ｂを安定に支持し、筒状のばね座３４にも筒部３２の内周に接するシール部材５２を設けて筒部３２との間をシールするとともに既製ストロー１３を上側箇所Ａにて安定に支持するようにしてある。ばね１１は円錐型のものを採用して既製ストロー１３を中心位置に保てるようにしている。シール部材３１は外方へ延びるリップ３１ａにて液通路５の内周に接するようにして、柔軟な弾性による確実なシールを確保しながらストロー支持具１０の着脱に及ぼす抵抗が小さくなるようにしている。
【００７２】
ストロー支持具１０の筒部３２の上端は開放したままとし、蓋２１の天井壁の内側には格納状態に押し込んだ既製ストロー１３の吸い口１３ａの上端を図８に示すように閉じるシール部材４３の外、ストロー支持具１０の筒部３２の上端との間を図８に示すようにシールするシール部材５３を設けてある。このシール部材５３はストロー支持具１０を取り外した状態で蓋２１を装着したとき、飲み口６との間をシールするシール部材にも共用できるようにしてある。このため、蓋２１はストロー支持具１０が装着されているときの閉じ位置よりも、ストロー支持具１０が取り外されているときの閉じ位置の方が飲み口部７に深くねじ込まれることになる。
【００７３】
既製ストロー１３を支持したストロー支持具１０が装着されている状態で、蓋２１を取り外すと筒部３２の上端が開放されて、既製ストロー１３がばね１１によって図９に示すように上方に突出させられる。使用者はそのまま吸い飲みするか、必要に応じて蛇腹部１３ｃを伸ばして既製ストロー１３を容器本体１の底部まで押し込んで飲料を飲み干せるようにすればよい。なお、本例では、筒部３２のシール部材３１を装着した部分の下に通気穴４４ａを設けて、液通路５と筒部３２との間、および筒部３２と既製ストロー１３との間が、既製ストロー１３まわりの吸気路４４となるようにしている。
【００７４】
図１０、図１１に示す例では、ストロー支持具１０は、既製ストロー１３をその蛇腹部１３ｃの下部にて支持する支持筒５４を筒部３２の底部３２ａの穴３２ｂに上下動できるように嵌め合わせて上側位置Ａと下側位置Ｂとの間を連続して保持して、底部３２ａと支持筒５４のばね受けフランジ５４ａとの間にばね１１を働かせることにより、既製ストロー１３に突出習性を与えるように支持している。支持筒５４の下端には抜け止めフランジ５４ｂが設けられ、穴３２ｂへの嵌め入れ時に邪魔にならないように後付け部材としてある。吸気路４４は特別な穴などを設けずに筒部３２と既製ストロー１３との部材間の隙間などにより形成している。図１０に蓋２１を装着した状態、図１１に蓋２１を取り外した状態を示している。なお、本例では、飲み口部７に真空二重容器３の口部３ｃを覆うカバー２６を一体成形してあり、蓋２１は飲み口部７の外周との弾性係合部６１によって閉じ状態に保持するようにしてある。
【００７５】
図１２、図１３に示す例では、ストロー支持具１０は、ゴムなどの弾性部材５５を底部のない無底の筒部３２に一体に付帯して設けてある。具体的には支持部材５５は筒部３２のフランジの上に載るフランジ５５ａの内周から筒部３２内に入り込む筒壁５５ｂを有し、この筒壁５５ｂが筒部３２内周の凸条３２ｅと嵌まり合うことによって交換できるように一体に支持されている。筒壁５５ｂの下端からは内側上方に折り返した上向き底部５５ｃを有し、この上向き底部５５ｃの上端のシール部５５ｄに既製ストロー１３の吸い上げ部１３ｄを上方から挿入し蛇腹部１３ｃを下方から支持し、底部５５ｃと筒壁５５ｂとの弾性変形による復元力によって、既製ストロー１３を上方への突出方向に付勢している。これによって図１２に示す蓋２１を閉じて既製ストロー１３を押し込んだ格納状態から、蓋２１を取り外すことで図１３に示すように既製ストロー１３を上方へ突出させる。本例では、前記シール部５５ｄに蛇腹部１３ｃの支持に支障のない遊び部５５ｅと既製ストロー１３に軽く密接する下向きのシールリップ５５ｆを設けて吸気可能な逆止シール部を形成している。
【００７６】
なお、本例でのストロー支持具１０による既製ストロー１３の支持は、その途中一箇所Ｃでの支持になっているが、これを下側箇所保持部とし、その上側箇所を弾性部材５５や筒部３２、あるいはこれらに付帯して設けた部材によって支持し、上下２カ所を支持する構造にもできる。
【００７７】
【発明の効果】
本発明のハイブリッドボトルの１つの特徴によれば、断熱構造を有した容器本体によって飲料を収容し保温、保冷して傍に置き、あるいは携行するなどしながらその時々の飲用に供するのに、前記飲み口を用いた直飲みと、前記既製ストローを用いた吸い飲みとを選択できるようにした構成から、蓋を取り外すことによって前記いずれかを選択したハイブリッド使用ができる。特に、既製ストローはその軸まわりをストロー支持具によって上下２カ所にて保持していて安定するので吸い飲みしやすいし、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。また、蓋で飲み口を閉じることができるし、その際に既製ストローを格納状態に覆うことができる。
【００７８】
本発明のハイブリッドボトルの別の特徴によれば、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００７９】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、少なくともそれら１つとの間、および既製ストローとの間のシール部によって人が動きながらの飲用中にても飲料のいずれからの漏れも防止するとともに、既製ストローとの間のシール部の逆止シール機能による吸い飲みに伴う負圧に応じた外気の吸入を図ってさらに飲みやすくすることができる。一方、ストロー支持具は前記嵌め合いを解くことによって既製ストローを保持したまま液通路および飲み口から取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００８０】
本発明のハイブリッドボトルの他の特徴によれば、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００８１】
具体的には、ストロー支持具は既製ストローを吸い口が突出するようにして液通路に支持して吸い飲みしやすくるのに、容器口、飲み口部または液通路の少なくとも１つとの嵌め合わせにて安定させより飲みやすくそれを実現しながら、少なくともそれら１つとの間、および既製ストローとの間のシール部によって人が動きながらの飲用中にても飲料のいずれからの漏れも防止するとともに、既製ストローとの間のシール部が有した逆止シール機能により吸い飲みに伴う負圧に応じた外気の吸入を図ってさらに飲みやすくすることができる。一方、ストロー支持具は前記嵌め合いを解くことによって既製ストローを保持したまま液通路および飲み口から取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。しかも、ストロー支持具はそれに一体成形されるか一体に付帯して設けられた弾性変形部にて、既製ストローの交換できる保持、復元力により吸い口を突出させる働き、逆止シール部を実現するので、特別な保持部、コイルスプリングなどの付勢部材、シール部材が不要で、部品点数の少ない構造が簡単で安価なものとなる。
【００８２】
本発明のハイブリッドボトルの今１つの特徴によれば、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００８３】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、既製ストローによる吸い飲みに伴いストロー支持具による既製ストローまわりの吸気路を通じて外気が導入されるので、負荷なく容易に吸い飲みできるようにする。また、ストロー支持具はこれと嵌め合わせた容器口、飲み口部または液通路の少なくともそれら１つとの間で飲み口を通じ着脱できるので、飲み口が露出した状態でそのまま前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００８４】
本発明のハイブリッドボトルのさらなる１つの特徴によれば、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００８５】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現しながら、少なくともそれら１つとの間、および既製ストローとの間の吸気路、の各シール部によって人が動きながらの飲用中にても飲料のいずれからの漏れも防止するとともに、吸気路とその逆止シール部により吸い飲みに伴う負圧に応じた外気の吸入を図ってさらに飲みやすくすることができる。また、ストロー支持具はこれと嵌め合わせた容器口、飲み口部または液通路の少なくともそれら１つとの間で飲み口を通じ着脱できるので、飲み口が露出した状態で前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【００８６】
本発明のハイブリッドボトルのさらに別の特徴によれば、断熱構造を有した容器本体によって飲料を収容し保温、保冷して側に置き、あるいは携行するなどしながらその時々の飲用に供するのに、前記飲み口を用いた直飲みと、前記既製ストローを用いた吸い飲みとを選択したハイブリッド使用に供することができる。
【００８７】
具体的には、ストロー支持具は既製ストローを吸い口が突出するようにして液通路に支持して吸い飲みしやすくするのに、容器口、飲み口部または液通路の少なくとも１つとの嵌め合わせにて安定させより飲みやすくそれを実現し、ストロー支持具はこれと嵌め合わせた容器口、飲み口部または液通路の少なくともそれら１つとの間で飲み口を通じ着脱できるので、飲み口が露出した状態で前記嵌め合いを直に解いて、既製ストローを保持したままのストロー支持具を液通路および飲み口から容易に取り外して、これらのない状態で直飲みしやすくすることができる。また、前記既製ストローのストロー支持具による保持が交換できるようになされているので、既製ストローが汚損したり損傷したりしたときはそれが多量生産して安価に供されるものであることから、交換しながら使い捨て使用することができ便利であるし、場合によっては種類替えもできる。
【図面の簡単な説明】
【図１】本発明の実施例のハイブリッドボトルを既製ストローの使用状態例で示す断面図である。
【図２】図１のハイブリッドボトルの飲み口部の断面図である。
【図３】図２の飲み口部の蓋を取り外した状態を示す断面図である。
【図４】図１のハイブリッドボトルの蓋を取り外して吸い飲みするときの説明断面図である。
【図５】図１のハイブリッドボトルのストロー支持具を取り外した直飲みできる使用状態を示す断面図である。
【図６】図１のハイブリッドボトルのストロー支持具を取り外して専用ストローの使用状態を示す断面図である。
【図７】図１のハイブリッドボトルのストロー支持具を取り外して既製ストローの別の使用態様例を示す断面図である。
【図８】本発明の実施例の別のハイブリッドボトルを蓋装着状態で示す飲み口部の断面図である。
【図９】図８の飲み口部を蓋を取り外した状態で示す断面図である。
【図１０】本発明の実施例の他のハイブリッドボトルを蓋装着状態で示す飲み口部の断面図である。
【図１１】図１０の飲み口部を蓋を取り外した状態で示す断面図である。
【図１２】本発明の実施例の今１つのハイブリッドボトルを蓋装着状態で示す飲み口部の断面図である。
【図１３】図１２の飲み口部を蓋を取り外した状態で示す断面図である。
【図１４】専用ストローによる吸い飲みができるボトルの従来例を示す全体の断面図である。
【図１５】直飲みと注ぎ出しができるボトルの従来例を示す要部の断面図である。
【図１６】直飲みができるボトルの従来例を示す要部の断面図である。
【符号の説明】
１  容器本体
２  真空空間
３  真空二重容器
４  容器口
５  液通路
６  飲み口
７  飲み口部
１０  ストロー支持具
１１  ばね
１２  弾性体
１３  既製ストロー
１３ａ  吸い口
１３ｂ  下端
１３ｃ  蛇腹部
２１  蓋
３３  シール部材
４４  吸気路
Ａ  上側箇所
Ｂ  下側箇所
【図１】
2004161315.tif 000003
【図２】
2004161315.tif 000004
【図３】
2004161315.tif 000005
【図４】
2004161315.tif 000006
【図５】
2004161315.tif 000007
【図６】
2004161315.tif 000008
【図７】
2004161315.tif 000009
【図８】
2004161315.tif 000010
【図９】
2004161315.tif 000011
【図１０】
2004161315.tif 000012
【図１１】
2004161315.tif 000013
【図１２】
2004161315.tif 000014
【図１３】
2004161315.tif 000015
【図１４】
2004161315.tif 000016
【図１５】
2004161315.tif 000017
【図１６】
2004161315.tif 000018